(57)【要約】      （修正有）【課題】文字データに基づいて音声を出力させる際に、その音声に本来備えられた意味が誤って受け取られることがなく、且つ、構成及び信号処理が簡便な音声出力装置を提供する。【解決手段】文字データ出力装置１は、区切りを示す印に基づいて文字データを一纏まりの文字群の連続となって出力させ得る文字データ入力手段２１を備えて構成し、音声出力装置２が文字データ出力装置１から一纏まりの文字群が連続されて構成される文字データを入力すると、制御手段９が、前記文字データを前記一纏まりの音声をそれぞれ区切りながら連続して出力させるように制御を行う構成とした。【選択図】図１
2007147860.tif 000002
【特許請求の範囲】
【請求項１】
文字データを入力するための入力手段と、その入力手段によって入力される文字データに係る文において、連続する文字と文字の間に区切りを示すための特定の記号が介在入力されると、前記入力手段から入力された文字データを出力する際に、連続する二つの前記特定の記号によって挟まれた文字のグループを一纏まりの文字群として出力するように制御する制御手段が備えられてなる文字データ出力装置。
【請求項２】
文字データに係る連続する文字群において、互いに隣り合う文字と文字の間に介在される特定の記号が、スペース又は読点である請求項１に記載の文字データ出力装置。
【請求項３】
入力される文字データを音声で出力するための信号に変換する辞書データメモリを備えてなる請求項１に記載の文字データ出力装置。
【請求項４】
連続する複数の文字によって構成される文に係る文字データに基づいて、その文を構成する前記複数の文字を音声で出力する音声出力手段と、途中に区切りを示す印が介在されている文に係る文字データが入力されると、前記音声出力手段に、その文字データに基づいて、区切りを示す印と次に出て来る区切りを示す印で挟まれた文字若しくは文字群を一纏まりの音声として出力させるように制御を行う制御手段が備えられてなる音声出力装置。
【発明の詳細な説明】
【技術分野】
【０００１】
高齢化社会となった今日では、視覚上に障害がある者のみならず、いわゆる遠視になった者が、殊に小さい文字が読み取り難い、小さい文字を読み取れない事態が急激に増えている。
この高齢者の小さい文字の読み取り上の問題には、文字を大きくすることによってある程度は対応できる。だが、文字を表示すべき面の大きさに限りがある場合では、文字を大きく表記することに制限が課せられることになる。
【０００２】
そこで、文や文章といった文字についての情報がデータ化されて文字データとなっている場合には、音声に変換して出力し、斯かる出力音声によって当該文字についての情報を知ることが可能になる。  
この発明は、文や文章を示す文字データに基づいてその内容を音声で出力する音声出力装置に関する。特に、音声出力装置において、文字データに基づいて合成音声を作成する構成を簡便にする改良に関する。
【０００３】
加えて、文字データに基づいて合成音声を出力する音声出力装置の構成を簡便にさせるための文字データ出力装置に関する。
【背景技術】
【０００４】
当該音声が意味を持つ音声として発せられた際（出力された際）、当該音声が聞く者にとって音声を発した者の意味（思想や概念）意味と同じ意味で受け取られる必要がある。
例えば、同一人物が文字表記すれば同一の言葉を音声で発する場合に、その音声の末尾の音（オン）を真っ直ぐに発すれば、聞き取る者にとってはその言葉を単にある事柄を叙述しているものと受け取る。他方、その音声の末尾の１若しくは２以上の音を尻上がりで発すれば、聞き取る者にとってはその言葉を質問を意味するものと受け取る。又、その音声の末尾の１若しくは２以上の音を尻下がりで発すれば、聞き取る者にとってはその言葉を念押しや脅しを意味するものと受け取る。
【０００５】
つまり、音声で思想や概念を伝える場合、単に、１若しくは複数の音だけではそれらを正しく伝え切れるのではなく、音声の持つ音以外の要素がその音に伴い一体にになることによって、前記思想や概念を伝えることが出来るということになる。
尚、ここで、音（オン）とは、言葉を音声として発した際にその音声を構成する複数のオトに強弱、抑揚、長短などを含まれておらず且つその音声の最小単位を言う。例えば、「橋」という言葉を音声として発すると、『ハ』と『シ』という２個の音（オン）から構成され、二つの音の間には強弱、高低、長短に差がない。
【０００６】
従って、この音だけから「橋」、「箸」、「端」のいずれを意味するのか？、つまり、特定の思想や概念を連想させ得ることがない。
よって、出力される音声が単に音（オン）のみであって強弱、抑揚、長短が伴わない場合では、音声出力の側が発音すると、受ける側はその発音の音について知っている全ての言葉及びそれぞれの意味を呼び起こし、音声を出力した者のその時に意図した思想や概念を簡単で確実に特定することができないことになる。
【０００７】
入力されて来る文字データに基づいて音声を合成して出力し、その合成して出力されるの音声が人の話し言葉に近似させて、結果的に、当該文字データを作成した者の意図（思想や概念）が他人に伝わるようにした発明として、以下の文献で開示されている。
【０００８】
【特許文献１】特開２００５−２１５２８８号公報
【発明の開示】
【発明が解決しようとする課題】
【０００９】
特開２００５−２１５２８８号公報で開示された発明『音声合成装置および音声合成方法』は、テキストデータ用の解析辞書が備えられ、且つ、そのテキストデータ用の解析辞書に記載されていない未知語については読みデータを取得し、既存のデータに基づいてモーラ数とアクセントの型を決定し、ここで決定したモーラ数とアクセントの型によって未知語の音声データを生成して音声で出力する構成になっている。
同発明は、斯かる構成により、未知語に関して音声を作成するための音声データを不要とさせ、このことによって音声データを少なく抑えることが可能になっており、装置が簡便であるという効果が得られている。
【００１０】
上述したように、或る特定の意味（思想や概念）を他人に伝えるために音声を用いる場合に、その音声が合成音声は勿論人の話し言葉であっても、音（オン）だけではなく、その音に抑揚、強弱、長短が伴われ一体になって出力されて前記或る特定の意味を伝えることが可能になる。
斯かる意味では、特開２００５−２１５２８８号公報で開示の発明は、効果のある発明と受け取ることができる。
【００１１】
しかしながら、未知語に係る読みデータを不要としているが、その未知語の読みデータを得るためには基になるモーラ数やテキストデータ用の解析辞書が必要となる。
この解析辞書はその物自体が大掛かりであり、又、解析辞書中のテキストデータに基づいて未知語のついての音声のモーラ数とアクセントの型を決定し、その決定した音声のモーラ数とアクセントの型を当該出力対象の音声に付加する必要があり、制御手段は複雑な信号処理機能に対応可能であることが要求される。
【００１２】
つまり、特開２００５−２１５２８８号公報で開示の発明は、未知語に係る音声出力上の問題は解決しているが、装置そのものの構成、特に、モーラ数やテキストデータ用の解析辞書を必要としており、信号を処理するための手段も或る程度高度なものである必要があり、必ずしも、簡便な装置とは言えない。
他方、今日では、高齢者が増加し、視力に問題がある方以外であっても、思想や概念が音声で出力される必要性がより一層高まって来ている。
【００１３】
例えば、記録媒体にファイルを作成してデータを記録する際に、ユーザーはそのファイルを特定するためにファイルネームを付している。
さて、記録媒体、例えば半導体メモリは１６ＧＢと大容量化が進み、一つの記録媒体に数多くのファイルを作成することが可能となっている。このため、各ファイルが他のファイルと異なっていて間違わないように、ファイルネームは漢字仮名交じり文では百数十文字で或いは欧英文字では二百数十文字で表示するといったように、ファイルネームを比較的多い文字数で記載するが検討されている。
【００１４】
ここで、ファイルネームが例えば漢字仮名交じり文字で百数十文字となり、且つ、そのファイルネームを表示手段で表示する場合に、前記表示手段はその文字数に見合った大きさの表示面が具備されていれば問題はない。
しかしながら、ファイルネームの文字数に比して表示手段の表示面の大きさが小さいとファイルネームの各文字は小さく表示されて読み難くなるという問題が生じる。
【００１５】
この問題に対して、ファイルネームを示す文字データに着目し、その文字データを信号処理して音声で出力させることが考えられる。
斯かる構成では、ファイルネームは文字で表示はされないが音声で出力されるから、ユーザーはその内容を知ることができる。
【００１６】
しかしながら、特開２００５−２１５２８８号公報等から明らかなように、音声を出力させることによって思想や概念を間違いなく知らせるためには、各語、各文節等がそれぞれ文全体に対して対応した強弱、抑揚、長短を伴っていることが必要であり、それが損なわれると同じ音（オン）であっても間違った意味に受け取られることになる。
つまり、文字データを如何に簡便に加工して音声の出力の際に意味の間違いを生じさせないようにするかが重要な事項になって来る。
【００１７】
この発明は、上記の事情に鑑みてなされたものであり、与えられた文字データに基づいてその内容を音声で出力する際に、その音声を聞く者に文字データの内容に誤解を生じさせ難く、且つ、構成が簡便な音声出力装置を提供するものである。
【課題を解決するための手段】
【００１８】
この発明の発明者は、上記の問題に対し、殊に、出力音声が文字データ本来の意味に受け取られることについてその原理に立ち返って創意工夫を重ね、文字データの入力の時点まで遡ることによって、発明の完成に到った。
つまり、出力される音声の思想や概念が間違わずに聞き手に伝わる会話や放送での話し言葉における音声は、音（オン）に強弱、抑揚、長短等の発音を構成する要素が伴って一体として出力されている。しかしながら、文字データに対してそれらの要素に対応する辞書（音声データベース）を用意するとなれば、装置自体が極めて大掛かりなものになり、且つ、文字データの処理も煩雑なものになるという問題が生じる。
【００１９】
そこで、出力音声を聞き取る者の側にとって通常の話し言葉ほどには自然でないが、聞き手が確実に聞き取ることができる最少の要素についてのみが出力されることを考えた。この最小の要素に限定しての出力によって、文字データを音声で出力するための辞書を簡便にさせることが可能になり、且つ、文字データに係る信号処理も簡単になる。
具体的には、文字データに基づいて音だけを出力し、発音の際に強弱、抑揚、長短等の要素を伴わずに音声の出力を行わせる構成を考えた。
【００２０】
しかしながら、出力される音声が斯かる構成であって、強弱、抑揚、長短等を伴わないものであれば、例えば音声出力される言葉や文において区切りが判別できず、聞き手に意味を誤って受け取られる虞が生じる。
つまり、例えば、元々が『二つに折り手首に巻き付く大きさ』という文字情報が文字データとして入力され、その文字データが所定の信号処理を受けて音声出力された際、出力音声をカタカナ表記すると「フタツニオリテクビニマキツクオオキサ」となる。
【００２１】
だが、このカタカナ表記された音に、強弱、抑揚、長短等の発音を特徴付ける要素が伴わないで音声が出力されると、この音声は聞き手にとって、『二つに折りて首に巻き付く大きさ』と『二つに折り手首に巻き付く大きさ』の二通りに受け取られることが考えられる。
これは、音声が、単に音のみならず、強弱、抑揚、長短等の要素が同時に一体となって出力（表出）されることによって、その出力の音声の元となっている文字データの持つ意味が表現され、結果的に、聞き手に話者の意図する意味を想起させるように伝わることになる。
【００２２】
従って、文字データに基づいて音声を出力する際には、記述したように、音声データベースの辞書が簡単であるほど望ましいが、当該音声データの持つ意味、つまり話者が意図している意味を表現させ得る音声の出力である必要がある。
ここで、この発明の発明者は、当該音声データの持つ意味が誤って受け取られないように、文字データが日本語であれば例えば文節毎に区切って音声を出力させ、文字データが英語であれば、単語、句、節毎に区切って音声の出力を行わせることで、文字群（文）の構造に誤解が生じず、結果的に、話者の意図する意味を想起させることに想到した。
【００２３】
具体的には、文字情報を元に文字データを作成する際に、その文字データに区切りを示す印を挿入し、音声出力の際にその印があればそこで連続している音声出力に切れ目が入り、正確に述べると、区切りの印と印で挟まれた部分を、日本語では文節として扱い、英語では単語、句、節として扱って、区切って音声出力させることを考えた。
更により具体的には、上記の「フタツニオリテクビニマキツクオオキサ」という例であれば、これを『フタツニオリ』と『テクビニマキツクオオキサ』に分けて音声出力させることによって、聞く者はその音声からそれぞれが『二つに折り』と『手首に巻き付く大きさ』であると受け取り、結果的に、『二つに折り手首に巻き付く大きさ』という意味を、他方、『フタツニオリテ』と『クビニマキツクオオキサ』に分けて音声出力させることによって、聞く者はその音声からそれぞれが『二つに折りて』と『首に巻き付く大きさ』であると受け取り、結果的に、『二つに折りて首に巻き付く大きさ』という意味をそれぞれ想起させることを言う。
【００２４】
この発明の詳細な構成の第一は、文字データを入力するための入力手段と、その入力手段によって入力される文字データに係る文において、連続する文字と文字の間に区切りを示すための特定の記号が介在入力されると、前記入力手段から入力された文字データを出力する際に、連続する二つの前記特定の記号によって挟まれた文字のグループを一纏まりの文字群として出力するように制御する制御手段が備えられてなる文字データ出力装置である。
【００２５】
ここで、文字データに係る連続する文字群において、互いに隣り合う文字と文字の間に介在される特定の記号とは、文字データに係る文字群全体からなる文において、日本語であれば、文節として区切ることによって、音声出力する際に音に強弱や高低がなくとも文全体が間違いなくその文字、語、文節であると受け取らせるためのものである。
尚、特定の記号として、具体的に、入力の操作が簡単であること、文節を作る際に通常行う表記の仕方に準じて入力操作に違和感がないこと等により、スペース又は読点が挙げられる。
【００２６】
又、特定の記号は、上述の文節として区切るためのものであることから明らかに、文字データの頭部では１番目の特定の記号までで一つの区切りが構成され、文字データの尾部では最後に位置する特定の記号から末尾までで一つの区切りが構成されることになる。
他方、欧米語における特定の記号とは、単語、句、節として区切ることによって、音声出力する際に音に強弱や高低がなくとも文全体が間違いなくその文字、語、文節であると受け取らせるためのものである。
【００２７】
従って、特定の記号を介在させる位置は、区切られて得られるが単語、句、節のいずれであっても、音声出力された際に文全体の意味が間違わずに受け取られる区切り方であることが必要であり、文字データを入力する際にユーザーが適宜判断して特定の記号を介在させることが必要である。
尚、欧米語において単語の並びが同じであっても音声で出力する際の区切り方によって意味が異なる例として、英語、仏語等における関係代名詞及び関係副詞の限定用法と継続用法との差異が挙げられる。他方、独語は、英語、仏語等における関係代名詞及び関係副詞の限定用法と継続用法に対応する表記上の差異はない。
だが、いずれの言語であっても、区切りがない場合に比して区切りのある方が殆どの場合、聞き取る側としてその出力音声からより一層間違いない音声情報として受け取ることになる。
【００２８】
この発明の詳細な構成の第二は、連続する複数の文字によって構成される文に係る文字データに基づいて、その文を構成する前記複数の文字を音声で出力する音声出力手段と、途中に区切りを示す印が介在されている文に係る文字データが入力されると、前記音声出力手段に、その文字データに基づいて、区切りを示す印と次に出て来る区切りを示す印で挟まれた文字若しくは文字群を一纏まりの音声として出力させるように制御を行う制御手段が備えられてなる音声出力装置である。
【００２９】
音声出力装置は、斯かる構成であることより、文の途中に区切りを示す印が介在されている文に係る文字データが入力されると、区切りを示す印によって一纏まりになっている文字若しくは文字群が音声出力手段から音声で出力される。
【発明の効果】
【００３０】
第一の発明は、文字データを打ち込む際に、連続する文字によって任意の文字群を構成するための特定の記号を当該文字データに係る文に挿入すると、その文字データを出力する際には、前記特定の記号によって区切られた文字群の連続のデータとして出力させる文字データ出力装置である。
【００３１】
第二の発明は、表示対象の文字データを文字群に区切る特定の記号を含まれている場合には、前記文字群毎に文字表示及びそれに対応する音声の出力が行われる構成であることにより、音声は文字群毎に出力されるのでその音声に話し言葉における抑揚、強弱、長短等が伴わなくとも全体に亘って聞いた場合には文字データの内容が誤って聞き取られる虞がなく、且つ、音声を出力するための手段の構成が簡便な音声出力装置である。
【発明を実施するための最良の形態】
【００３２】
この発明を、図面に示す最良の形態に基づき説明する。しかし、この形態によって、この発明が限定されるものではない。
文字データ出力装置１及び音声出力装置２は、図面に示すように、音声データの記録及び再生を行う記録・再生装置３に組み込まれて備えられている。
【００３３】
記録・再生装置３は、文字データ出力装置１及び音声出力装置２と、マイクロホン４と、アンプ５と、Ａ／Ｄ変換器６と、デジタル信号プロセッサ７（以下、ＤＳＰ７と称する）と、バッファメモリ８と、制御手段９と、操作手段１０と、音声出力装置２と、Ｄ／Ａ変換器１１と、アンプ１２と、スピーカ１３を備えて構成されている。
【００３４】
記録・再生装置３は、文字データ出力装置１と、マイクロホン４と、アンプ５と、Ａ／Ｄ変換器６と、ＤＳＰ７と、バッファメモリ８及び制御手段９から主に構成されてマイクロホン４からの音声を記録媒体１７にディジタル信号で記録する記録機能と、音声出力装置２と、バッファメモリ８と、ＤＳＰ７と、制御手段９と、Ｄ／Ａ変換器１１と、アンプ１２及びスピーカ１３から主に構成されて記録媒体１７に記録されているディジタル信号を再生してスピーカ１３から音声で出力する再生機能が備えられている。
【００３５】
尚、文字データ出力装置１は、記録・再生装置３において、記録媒体１７にデータを記録してファイルを作成する際に、そのファイルに文字データを入力してファイルネームを付すものである。
又、音声出力装置２は、記録・再生装置３において、記録媒体１７に格納されているファイルのファイルネームの文字データに基づき、そのファイルネームの文字数が一定以上の場合に当該ファイルネームを音声で出力するものである。
【００３６】
他方、Ａ／Ｄ変換器６とＤＳＰ７の間、及び、ＤＳＰ７とＤ／Ａ変換器１１の間には、データを送るためのバス１４が介在されている。
同様に、ＤＳＰ７とバッファメモリ８の間にはデータを送るためのバス１５が、ＤＳＰ７と制御手段９の間にはデータを送るためのバス１６が、それぞれ介在されている。  
又、１７はデータを蓄えるための記録媒体であって、具体的には半導体メモリである。
バッファメモリ８と記録媒体１７の間には、データを送るためのバス１８が介在されている。
【００３７】
文字データ出力装置１は、文字データを入力する入力手段２１と、記録手段であるＤＳＰ７及び制御手段９等を備えて構成されている。
入力手段２１は、文字データを入力するためのものであり、操作手段１０と、文字を入力する文字入力キー群２２と、入力した文字の記録や消去の確定を行う確定釦群２３等から構成されている。
文字入力キー群２２及び確定釦群２３は、操作手段１０の操作によって機能が可能になる構成が取られ、ユーザーが文字入力キー群２２及び確定釦群２３に誤って触れても機能しないように構成されている。
【００３８】
操作手段１０の操作釦群、文字入力キー群２２、確定釦群２３は、記録・再生装置３の装置本体１９の外面上に配設されている。装置本体１９のフロント面には、後述する液晶表示手段２４の表示面２０が配設されている。
文字データ出力装置１における記録手段としてのＤＳＰ７は、文字データ入力手段２１が機能すると、つまり、文字入力キー群２２及び操作釦群２３を操作すると、この操作によって文字データを受けて、バッファメモリ８を介して記録媒体１７にその文字情報を書き込む（記録）ように機能するものである。
【００３９】
文字データ出力装置１における制御手段９は、ＤＳＰ７によって文字データが入力されている際に、その文字データの連続する文字と文字の間に区切りのための特定の記号、具体的にはスペース、読点、句点等が介在入力されると、連続する二つのスペース、読点、句点等によって挟まれた文字のグループを一つの文字群として記録媒体１７に記録するようにＤＳＰ７を制御するものである。
尚、文字データ出力装置１に係るスペース、読点、句点等の記号は、文を語、文節等に区切るためのものであるから明らかに、文字データの頭部では最初に出て来るスペース、読点又は句点までで一つの区切りが構成され、文字データの尾部では最後に出て来るスペース、読点又は句点までで一つの区切りが構成されることになる。
【００４０】
又、文字データ出力装置１において、記録前の入力した文字データに係る文字は、後述する液晶表示手段２４によって表示することにより、その内容を確認することが可能な構成になっている。
液晶表示手段２４は、電気を印加すると、マトリックス状にドットが配列されており、背光がそのドットから通過して来るか遮断されるかの表示機能若しくはシャッタ機能を奏して、結果的に、文字データ等に基づいて所望の文字等を所望の大きさで表示するものである。
【００４１】
音声出力装置２は、入力された文字データに対して、その文字データに係る文字を音声で出力し、且つ、その音声出力に係る文字の文字データ全体に対する位置を視覚的に表示するものである。
音声出力装置２における文字データに係る信号に基づいて音声で出力する手段は、具体的に、ＤＳＰ７と、制御手段９と、辞書データメモリ２５と、メモリ手段２６と、Ｄ／Ａ変換器１１と、アンプ１２及びスピーカ１３から主に構成されている。
【００４２】
ここで、音声出力装置２の上記音声を出力する手段における制御手段９は、入力される文字データの中にスペース、読点又は句点を示すデータがあれば、連続する二つのスペース、読点又は句点によって挟まれた文字のグループを一つの文字群と判断して文字群ごとに区切り、その区切った文字群ごとに音声で出力させるように制御を行うものである。
制御手段９は、上述したように、文字データの頭部では１番目のスペース、読点又は句点までで一つの区切りを、文字データの尾部では最後に位置するスペース、読点又は句点から末尾までで一つの区切りをそれぞれ構成するように制御を行う。
【００４３】
尚、辞書データメモリ２５は、メモリ手段２６からの文字データに係る信号が制御手段９を介してＤＳＰ７に送り込まれると、ＤＳＰ７とその文字データの信号を受けてその文字データの信号と合致する音声を示すデータをＤＳＰ７に送るものである。従って、ＤＳＰ７は、文字データの信号に係る音声信号をバス１４に送ることになる。
又、文字データ出力装置１におけるメモリ手段２６は、ファイルネームとして記録すべき文字データを一時的に格納し、文字入力キー群２２で打ち込んだ文字データが意図した通りに正しく打ち込まれているか否かを液晶表示手段２４で表示させて確認する際に使用するものである。
【００４４】
他方、音声出力装置２におけるメモリ手段２６は、記録媒体１７からファイルネームに係る文字データを読み出し、そのファイルネームが漢字仮名混じり文字で５０文字以下であれば液晶表示手段２４においての文字の表示を行い、５１文字以上であればスピーカ１３からの音声の出力を行う際に、当該文字データを一時的に格納しておくためのものである。
記録・再生装置３は、ファイルネームの漢字仮名交じり文字で５１文字を越える場合にはその全ての文字を液晶表示手段２４の表示面２０に表示すると各文字が小さくなって通常の視力の者にとって読み取り難いので音声出力装置２を機能させるが、ファイルネームの漢字仮名交じり文字で５０文字以下である場合にはその全ての文字を液晶表示手段２４の表示面２０に表示しても通常の視力の者にとって容易に読み取れるので文字表示手段２９を機能させる構成になっている。
【００４５】
文字表示手段２９は、具体的に、ＤＳＰ７と、制御手段９と、メモリ手段２６と、ドライバ２７及び液晶表示手段２４から主に構成されている。
尚、記録・再生装置３において、ファイルネームの文字数が５０文字以下であるか５１文字以上であるかによって文字表示手段２９と音声出力装置２を切り替えて機能させる構成になっているが、液晶表示手段２４の表示面２０に表示される文字が十分に大きくて読み取り易いか十分に小さくて読み取り難いかの境は各ユーザーの読み取り能力（視力）によって決まり、制御手段９によって境となる文字の数の設定が可能になっている。
【００４６】
ドライバ２７は、制御手段９からの制御信号に基づいて、液晶表示手段２４の前記マトリックス状のドットに係る電極にシャッタ機能を奏するように電圧の印加をドライブするものである。
制御手段９は、液晶表示手段２４の表示面２０をフルに活用するように、文字データに係る表示すべき文字の数に基づいて各文字の大きさを自動的に変換して表示するように制御を行う機能を持たせることが可能な構成になっている。
【００４７】
斯かる構成により、遠視者等の小さい文字の読み取りが苦手なユーザーに液晶表示手段２４からのファイルネームの読み取りでの負担を少ないものにさせている。
文字データ出力装置１、音声出力装置２及び記録・再生装置３は、上述したように構成されている。以下において、各装置の作動を説明する。
ユーザーは、長野県岡谷市の冬鳥の越冬地の餌場を訪れて、冬鳥の鳴き声を記録（音声ロクオン）する。
【００４８】
ユーザーは、記録・再生装置３の装置本体１９の側部に枢支させた蓋体２８を開け（矢印Ａ方向）、記録媒体１７を記録・再生装置３の内部の所定位置に装着し、蓋体を閉じる（矢印Ｂ方向）。
次に、操作手段１０を操作してメインスイッチをＯＮにし、続いて、文字データ出力装置１を作動させて「越冬地の冬鳥」という仮のファイルネームを作成し、今回の冬鳥の鳴き声の録音データを記録するファイルを作る。
【００４９】
ここで、今回の冬鳥の鳴き声の録音を行うことに対してスタンバイ状態になる。
尚、文字データ出力装置１を用いて上述の仮のファイルネームを作成する説明、つまり文字データ出力装置１の機能の説明は、後に詳述する。
ユーザーは、その訪ねた餌場に５０〜６０羽の鴨が群になって集まっていることに気付き、その鴨の群の方向に記録・再生装置３のマイクロホン４を向け、操作手段１０を操作して前記鴨の鳴き声『ガー、ガー、ガー』の録音（音声の記録）を行う。
【００５０】
ここで、マイクロホン４は、録音対象である前記鴨の鳴き声をピックアップしてアナログの電気信号に変換し、その電気信号をアンプ５に送る。
アンプ５は、マイクロホン４からの前記鴨の鳴き声に対応する音声データを示すアナログ信号を受け取ると、所望の大きさのボリュームに加工してＡ／Ｄ変換器６に送る。
Ａ／Ｄ変換器６は、アンプ５からのボリュームが所望の大きさに増幅されたアナログ信号を入力すると、デジタル信号に変換してバス１４を介してＤＳＰ７に送る。
【００５１】
ＤＳＰ７は、ここでは記録手段として機能し、バス１４からの前記鴨の鳴き声を示すディジタル信号をバッファメモリ８を介して記録媒体１７に記録する。
ここで、記録媒体１７のファイルネームが前記「越冬地の冬鳥」というファイルに、この鴨の鳴き声に係る音声データが記録される。
ユーザーは、この鴨の鳴き声を録音している際に、その鴨の鳴き声とは別の方角で比較的離れた場所に数羽の小白鳥が飛来していることに気付き、その鳴き声の録音を行うことにした。
【００５２】
そこで、ユーザーは操作手段１０によってポーズ機能を作用させて記録・再生装置３の録音機能を一時停止にし、前記小白鳥の居る場所が比較的遠くで鳴き声も小さく聞こえるので、マイクロホン４に代えて指向性の高い外付けマイクロホン（図示省略）を装置本体１９に接続する。
ここで、ユーザーは、前記外付けマイクロホンを前記小白鳥の方向に向け、記録・再生装置３の前記ポーズ機能を解除して、前記小白鳥の鳴き声『クァー、クァー、クァー』の記録を行う。
【００５３】
この時、記録・再生装置３の音声の記録の作動は、前記外付けマイクロホンが前記小白鳥の鳴き声（音声）を拾ってアナログの電気信号に変換してアンプ５に送るが、記録・再生装置３の機能は前記鴨の鳴き声を記録した時と音声データの記録の作動は実質的に同じである。
ユーザーは、続いて、その場所がこれらの鴨と小白鳥の餌場になっていることから、雀が餌の落ちこぼれをついばみいに来ていることに気付いた。その雀は、冬の季節の割には餌が多いためか思いの外に栄養状態が良く元気に囀っており、その雀の囀りの音声『チュッ、チュッ、チュッ』も記録することにした。
【００５４】
そこで、ユーザーは、前記外付けマイクロホンをその雀の方向に向けて、前記鴨及び小白鳥の鳴き声の録音の時と同様に記録・再生装置３を操作して、記録媒体１７にこの雀の囀り声を記録した。
この時、ファイルネームが「越冬地の冬鳥」というファイルに、５０〜６０羽の鴨の鳴き声、十数羽の小白鳥の鳴き声、雀の囀りが音声データとして記録されている。
【００５５】
ここで、ユーザーは、ファイルネームが「越冬地の冬鳥」では、今後も同一若しくは近似するファイルネームを作る可能性があると考え、他と区別を付ける必要を感じ、又、ファイルネームからファイル（データ）の中身を幾らかでも伺い知るために、このファイルデータの内容を特徴付けて且つその内容が伺い知ることのできるものとして、文字入力キー群２２と確定釦群２３を用いて、「越冬地の冬鳥」を『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』に改めることにする。
【００５６】
そこで、ユーザーは文字データ入力手段２１を用いて、「越冬地の冬鳥」のファイルネームを新たなファイルネームに改める。
つまり、文字データ入力手段２１の文字入力キー群２２による文字入力及び確定釦群２３による確定によって新たなファイルネームの『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り。』を文字入力する。
【００５７】
この時、作成中のファイルネームは、メモリ手段２６に一時格納されると共に、文字データに係る打ち込み中の文字が液晶表示手段２４に表示される。
ここで、ユーザーは、液晶表示手段２４の表示面２０から、自分の意図した通りに正しく文字（文字データ）が打ち込まれているか否かを知ることができる。
尚、文字データが大きなサイズである、つまりファイルネームの文字の数が多い場合には、全体ではなく部分的に拡大して表示して、文字データの打ち込み内容を確認できる構成であるのがよい。
【００５８】
ここで、ユーザーは、新たなファイルネームが『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』であって、漢字仮名交じり文字で百数十文字になっていることに気付き、この入力した状態の文字データを音声で再生すると、聞き取る者にとって誤解を生じさせる虞があることに気付いた。
【００５９】
つまり、ユーザーは、『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』を再生して音声で出力すると、対応する音声を片仮名表記した場合に、「ニセンゴネンジュウニガツジュウゴニチゴゼン、テンキハハレ、スワコノテンリュウガワノカコウカラトケイマワリデヒャクゴジュウメートルホドススンダチテンデノロクオン。ミズベデムレニナッテアツマッテイルゴジュウカラロクジュウハノカモノナキゴエ、エサバノフキンニアツマルジュウスウハノコハクチョウノナキゴエ、エサヲモトメテヤッテキタトオモワレルスズメノサエズリ。」となることに気付いた。
【００６０】
ここで、ユーザーは、この片仮名文字をその儘、抑揚、強弱、長短等を持たせない音声で出力すると、その音声を受け取る者にとって直ぐには理解できなかったり、意味の受け取りに誤解が生じるであろうと考えた。
そこで、斯かる事態を回避するように、文字データの再生時つまり文字データに基づく音声を出力させる際に、文節等において区切りがあって、意味に誤解の生じないような音声の出力を行うことを考えた。
【００６１】
つまり、メモリ手段２６に一時記録されている『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』という文字データに対し、この文を音声で出力する際に文節、単語群等で区切り、その区切られた文節、単語等の一纏まり毎を音声として出力させるための特定の記号であるスペースを入れる。
具体的には、操作手段１０によって、文字入力キー群２２及び確定釦群２３を操作可能な状態にした後、文字入力キー群２２及び確定釦群２３を操作して前記のファイルネームにスペースを挿入する。
【００６２】
ここで、前記ファイルネームの表示は、スペースを○で表示すると、『２００４年１２月１５日午前、天気は○晴れ、諏訪湖の○天竜川の○河口から○時計回りで○１５０メートルほど進んだ地点での録音。水辺で○群になって○集まっている○５０〜６０羽の○鴨の鳴き声、餌場の付近に○集まる○十数羽の○小白鳥の鳴き声、餌を求めて○やって来た○と思われる○雀の囀り』になる。
但し、ユーザーが上記の文字の表記のようにファイルネームをアレンジして内容を確認した後は、読点や句点は表示されるが、スペースを示す「○」の含まないファイルネームとして切り替わって液晶表示手段２４の表示面２０に表示されるように構成されている。つまり、ユーザーにとっては、スペースを含まない表記の方が、本来文字として表現したい内容だからである。
【００６３】
勿論、音声出力装置１は、操作手段１０を操作することによって、制御手段９が液晶表示手段２４によって表示されるファイルネームにスペース若しくはそれに該当する記号等を表示できるように切り替え可能な構成になっている。
ここで、文字データ表示手段１における制御手段９は、当該ファイルネームにスペースを示す記号が挿入されると、この挿入に基づいて当該ファイルネームは隣接するスペースによって挟まれた文字のグループを一纏まりの文字群ずつとして記録媒体１７に記録されるように制御を行う。
従って、記録媒体１７の当該ファイルのファイルネームのエリアには、斯かる状態でファイルネームは記録される。又、この状態において、当該ファイルネームの各一纏まりの文字群は入力されたと同じ順序でシーケンス的に呼び出されて出力可能な状態になっている。
【００６４】
ユーザーは、この地点で越冬地の冬鳥の鳴き声を記録した後、諏訪湖の水辺沿いに、下諏訪での冬鳥の鳴き声、上諏訪での冬鳥の鳴き声、小坂での冬鳥の鳴き声をそれぞれ録音して回った。
ユーザーは、更にその後、記録媒体１７に他の音声、例えばライブ音楽、ＣＤからの音声、インターネットの音声のダウンロード等の記録を行った。
尚、これらの鳴き声や音声の記録におけるファイルネームの作成は、上述した最初の岡谷市の餌場において越冬地の冬鳥のファイルネームの作成と同様にして行うことが可能であり、よって、ファイルネームの書き込み容量は漢字仮名混じる文では百数十文字、欧英文字では二百数十文字の表記が可能になっている。
【００６５】
この時、記録媒体１７は複数のファイル（音声のデータ）が記録された状態になっている。
ユーザーは、上記の最初に岡谷の餌場で記録した冬鳥の鳴き声の音声を再生したいと思い、記録・再生装置３を機能させて、記録媒体１７の再生を行おうとする。
しかしながら、記録媒体１７には複数のファイルが作られていて、しかも、ファイルネームが漢字仮名交じり文で百数十字と文字数が５１文字以上であるので、ファイルネームである文字データは液晶表示手段２４に表示されるのではなく、音声で出力されることにユーザーは気付く。
【００６６】
ここで、ユーザーは、再生したいファイイルを捜し出すために（特定するために）、音声出力装置２を機能させる。
つまり、操作手段１０を操作して音声出力装置２を出力させると、制御手段９はＤＳＰ７にバッファメモリ８を介して記録媒体１７に記録されている各ファイルのファイルネームを読み出し、それをメモリ手段２６に一時記録するように制御信号を送る。
ここで、ＤＳＰ７は記録媒体１７にから全てのファイルネームを読み出し、制御手段９を介してメモリ手段２６に送る。
【００６７】
ユーザーは、記録媒体１７に記録したファイルの順番を忘れていたので、一番目からファイルネームをチェックすることにして、ファイルネームに係る文字データを音声で出力するように音声出力装置２を作動させる。
但し、記録・再生装置３における音声出力装置２では、ユーザーが目的とするファイルがどの辺に記録されているかを既に知っていて、対応するファイルネームを確認しようとする等の場合では、そのファイルまで直接に飛び越しを行いチェックすることも可能である。
【００６８】
制御手段９は、メモリ手段２６から一番目の位置に記録されているファイルのファイルネーム（文字データ）に係るデータ信号を読み出して、ＤＳＰ７に送るようるように制御する。
ＤＳＰ７は、前記文字データの信号に基づいて辞書データメモリ２５からその文字データの信号に対応する音声を読み出し、バスを介してＤ／Ａ変換器１１に送るように機能する。
【００６９】
この時、文字データは、文字データ出力装置１によってファイルネームとして記録された元の文字群の『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』ではなく、スペースが挿入された『２００４年１２月１５日午前、天気は○晴れ、諏訪湖の○天竜川の○河口から○時計回りで○１５０メートルほど進んだ地点での録音。水辺で○群になって○集まっている○５０〜６０羽の○鴨の鳴き声、餌場の付近に○集まる○十数羽の○小白鳥の鳴き声、餌を求めて○やって来た○と思われる○雀の囀り』であるので、制御手段９はこの文字データの記録に対応させて、ＤＳＰ７に、当該文字データに対応して音声が区切られてスピーカ１３から出力されるように制御を行う。
【００７０】
他方、ＤＳＰ７は、制御手段９から『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』に対応する文字データの信号ではなく、『２００４年１２月１５日午前』、『天気は』、『晴れ』、『諏訪湖の』、『天竜川の』、『河口から』、『時計回りで』、『１５０メートルほど進んだ地点での録音』、『水辺で』、『群になって』、『集まっている』、『５０〜６０羽の』、『鴨の鳴き声』、『餌場の付近に』、『集まる』、『十数羽の』、『小白鳥の鳴き声』、『餌を求めて』、『やって来た』、『と思われる』、『雀の囀り』と区切られた複数の文字群に対応する文字データに係る信号を受けることになる。
【００７１】
従って、ＤＳＰ７は、制御手段９からの前記文字データに係る信号と制御信号に基づいて、一纏まりの文字群の『２００４年１２月１５日午前』に係る文字データの信号を受け取ると、その信号を辞書データメモリ２５に送る。
辞書データメモリ２５は、『２００４年１２月１５日午前』に係る文字データの信号を受け取ると、このデータの信号に合致する音声を示すデータをＤＳＰ７に送り返す。
【００７２】
ここで、ＤＳＰ７は、文字群の『２００４年１２月１５日午前』に係る音声信号をバス１４に送る。
尚、ＤＳＰ７からの前記音声信号は、デジタル信号である。
バス１４は、文字群の『２００４年１２月１５日午前』に係る音声信号を受け取ると、Ｄ／Ａ変換器１１に送る。Ｄ／Ａ変換器１１は、バス１４からの前記音声信号を受け取ると、アナログ信号に変換して、アンプ１２に送る。
【００７３】
アンプ１２は、Ｄ／Ａ変換器１１からのアナログに変換された音声信号を所望のレベルに増幅して、スピーカ１３に送る。
ここで、スピーカ１３は、アンプ１２からの前記音声信号を受け取ると音声に変換して、「ニセンヨネンジュウニガツジュウゴニチゴゼン」と音声で出力する。
【００７４】
制御手段９は、続いて、『天気は』、『晴れ』、『諏訪湖の』、『天竜川の』、『河口から』、『時計回りで』、『１５０メートルほど進んだ地点での録音』、『水辺で』、『群になって』、『集まっている』、『５０〜６０羽の』、『鴨の鳴き声』、『餌場の付近に』、『集まる』、『十数羽の』、『小白鳥の鳴き声』、『餌を求めて』、『やって来た』、『と思われる』、『雀の囀り』と区切った音声の出力を行うように、ドライバ２７及びＤＳＰ７に制御信号を送る。
【００７５】
ここで、『２００４年１２月１５日午前』についてと同様に、スピーカ１３からは、『テンキハ』、『ハレ』、『スワコノ』、『テンリュウガワノ』、『カコウカラ』、『トケイマワリデ』、『ヒャクゴジュウメートルホドススンダチテンデノロクオン』、『ミズベデ』、『ムレニナッテ』、『アツマッテイル』、『ゴジュウカラロクジュウッパノ』、『カモノナキゴエ』、『エサバノフキンニ』、『アツマル』、『スウジュッパノ』、『コハクチョウノナキゴエ』、『エサヲモトメテ』、『ヤッテキタ』、『トオモワレル』、『スズメノサエズリ』と区切り、それぞれが一纏まりになった文字群の音声として出力される。
【００７６】
ここで、ユーザーは、スピーカ１３から当該ファイルネームの音声を聞いて、そのファイル（データ）の内容を知ることができる。
他方、ユーザーではなく、このファイルネームの出力音声を始めて聞く者であっても、その音声から当該ファイルの内容を伺い知ることが可能になっている。
従って、ユーザーは、スピーカー１３から出力されている音声が再生しようとしているファイルに係るものであることを知り、そのファイルを特定することが可能になる。
【００７７】
他方、文字データに基づいて対応する音声を出力させる際に、文字群に区切りのためのスペースを入れない場合では、『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』を再生すると、「ニセンゴネンジュウニガツジュウゴニチゴゼン、テンキハハレ、スワコノテンリュウガワノカコウカラトケイマワリデヒャクゴジュウメートルホドススンダチテンデノロクオン。ミズベデムレニナッテアツマッテイルゴジュウカラロクジュウハノカモノナキゴエ、エサバノフキンニアツマルジュウスウハノコハクチョウノナキゴエ、エサヲモトメテヤッテキタトオモワレルスズメノサエズリ。」と音声は出力されることになる。
【００７８】
但し、読点や句点に該当する点では、音声が一旦そこで区切られて出力されることになる。
ここで、例えば、『天気は晴れ』を取り上げてみると、文字で表示すると「てんきははれ」となるが、最初の「は」は副助詞であって実際には「ワ」と音声が出力される。
この場合、『天気は』とスペースによって区切って一纏まりの文字群とすると、体言の後ろに付く『は』であってそこで区切られると、その『は』は副助詞になる場合が殆どであることから、対応する出力すべき音声は「ハ」であると簡単に判断を行うことが可能になる。
【００７９】
従って、辞書データメモリ２５は、文字群の頭部から尾部まで区切りがなく連続している場合の文字データを扱うより、簡便な構成のデータで済むことになり、結果的に、音声出力装置２は、構成が簡便な装置となっている。
又、音声出力装置１の構成が簡便であることより、音声出力装置１が機能する際の信号処理、信号の加工も簡便に済ますことが可能になっている。
【００８０】
又、『諏訪湖の天竜川の』について、スペースを挿入せずにそのまま音声で出力すると「スワコノテンリョウガワノ」となるが、この音声を始めて聞く者にとって、「スワ」の音声を感嘆詞としての『すわ！』と間違って受け取り、結果的に『すわ、この天竜川の』と受け取って文字群全体の意味を誤解して受け取る場合が生じることが考えられる。
しかしながら、文字データ出力装置１によれば、『諏訪湖の』、『天竜川の』と意味が取り違えないようにスペースによって区切るようにして文字データを入力（記録）しているので、音声出力装置２によって「スワコノ」、「テンリュウガワノ」と音声出力されることになり、その出力する音声に例え強弱、抑揚、長短等が伴わない場合であっても、始めて聞く者にとって、斯かる区切られた音声から『諏訪湖の』、『天竜川の』と当該文字データを記録した者の意図に沿って意味を受け取って文意を組み立てることになる。
【００８１】
従って、文字データに基づく出力音声を本来意図とする意味に誤解のないような音声として出力させるには、音（オン）に抑揚、強弱、長短等を伴った音声で出力させることが必要であり、斯かる構成の音声を出力させるにはその構成に見合った分、合成音声の出力の構成が大掛かりになるが、音に抑揚、強弱、長短等を伴わせていないので音声出力装置２は簡便な構成で済んでいる。
つまり、音声出力装置２において、辞書データメモリ２５は、入力される文字データに対して、音声の出力に抑揚、強弱、長短等を伴わせるか否かの判断機能や、抑揚、強弱、長短等を必要と判断した場合にその文字データに付加すべき抑揚、強弱、長短等のデータを必要としておらず、全体構成、メモリ容量等が簡便になっている。
【００８２】
加えて、音に抑揚、強弱、長短等を伴わせていないので、その分、信号の処理や加工が簡便になっている。
ここで、ユーザーは、操作手段１０によってファイルネームについての音声出力装置２の出力を停止し、続いて、その特定したファイルの再生を記録・再生装置３で行わせる。
記録・再生装置３は、制御手段９が記録媒体１７から特定されたファイル（データ）をバッファメモリ８を介してＤＳＰ７に呼び出す制御を行う。
【００８３】
ここで、ＤＳＰ８は、記録媒体１７からのデータをデジタルの信号に再生して、バス１４を介し、Ｄ／Ａ変換器１１に送る。
Ｄ／Ａ変換器１１は、バス１４からのデジタルの信号をアナログの信号に変換して、アンプに送る。
アンプ１２は、Ｄ／Ａ変換器１１からのアナログ信号をユーザーが所望するレベルに増幅して、スピーカ１３に送る。
【００８４】
ここで、スピーカ１３は、アンプからのアナログの信号を音声に変えて出力する。
スピーカ１３からは、２００４年１２月１５日の午前中の諏訪湖の天竜川河口付近に集まっていた５０〜６０羽の鴨の『ガー、ガー、ガー』という折り重なった鳴き声が出力される。
続いて、小白鳥の幾分丸みのある『クァー、クァー、クァー』という鳴き声、更には、雀の『チュッ、チュッ、チュッ』という囀りが、スピーカ１３から出力される。
【００８５】
上述した実施の形態では、記録・再生装置３に組み込まれている文字データ出力装置１を用いて記録された文字データを、同じ記録・再生装置３に組み込まれた音声出力装置２を用いて再生して文字データを表示する構成であるが、他の記録・再生装置に組み込まれた音声出力装置を用いて再生して文字データを表示することも可能である。
つまり、記録媒体１７を共通して使用することが可能な場合では、いずれの装置であってもよい。
【００８６】
文字データ出力装置１及び音声出力装置２は、記録・再生装置３に組み込まれているが、それぞれ単独に構成されたものであってもよい。又、文字データ出力装置１は、音声や映像を記録する記録装置に、音声出力装置２は音声や映像を再生する再生装置にそれぞれ組み込まれる構成であってもよい。
尚、記録・再生装置３は音声を記録及び再生する構成であるが、映像、動画、音声と動画との組み合わせ等を記録・再生する構成であってもよい。
【００８７】
文字データ出力装置１及び音声出力装置２は、対象となる文字データは日本語の漢字仮名混じり文であるが、欧英文字からなる文字群（文）であってもよい。
この場合、欧英文字で表示されて構成される文は単語毎にスペースが挿入されるが、このスペースを区切りとしての記号とすることによって、音声出力装置２は各単語を間違いなく音声で出力させることが可能であり、欧英文の音声にとって大切な抑揚は損なわれるが、欧英文の単語はそれ毎に特有のアクセントが与えられているので、辞書データメモリ２５にアクセントを伴った音声をデータでストックさせることで、簡便にアクセントを伴った音声を出力させることが可能になる。
【００８８】
文字データ出力装置１及び音声出力装置２は記録・再生装置３に組み込まれて構成されているが、データメモリを備えて文字データ出力装置１及び音声出力装置２が一体となった構成が挙げられる。
斯かる構成により、文字データ出力装置１に文字データを入力して記録しておき、所望により、文字データ出力装置１から文字データを音声出力装置２に出力させ、音声出力装置２にその文字データに基づいて音声を出力させることが可能である。
【００８９】
殊に、文字データ出力装置１への文字データの入力を点字によって行う構成にすることにより、盲目の人が同じ文字データを発する場合に、その都度点字を指先で読み取ることに比して、作業が簡便になっている。
文字データ出力装置１では、文字データ入力手段２１からの文字データに係る信号は、制御手段９からＤＳＰ７とバッファメモリ８を介して記録媒体１７に記録する構成になっている。
【００９０】
他方、文字データに係る信号をＤＳＰ７から辞書データメモリ２５に送り、当該信号と辞書データメモリ２５のデータを対比して信号処理上扱い易い信号に変換し、この音声出力用の信号と文字表示用の信号をペアとして記録媒体１７に記録させる構成が挙げられる。
音声出力装置２において、辞書データメモリ２５によって指定されて読み出される合成の音声は、具体的に、録音された単音を繋いで出力するものが挙げられる。
【００９１】
斯かる構成によって、単語、文節等の候補になると考えられる主だった音声を記録して出力させる方法、その場で音声を作って出力する方法などに比して、装置の構成を簡便にすることが可能になっている。
尚、音声出力装置２における音声の合成の方法が如何なるものであっても、出力させる音声に抑揚、強弱、長短等を伴わせる必要がないから、音声を合成する際の信号処理、信号加工等は簡便に行うことが可能になっている。
【００９２】
音声出力装置２では、実施の形態の作用の例では、上述したように、文字データは日本語に係るものであるが、英語、中国語、スペイン語等であってもよく、その際、使用する言語に合わせて、辞書データメモリ２５に必要とする外国語言語を記憶させる方法の外に、複数種類の外国語言語にそれぞれ対応する辞書データメモリ２５を用意して、取り替え交換によって適宜使い分ける構成であってもよい。
【図面の簡単な説明】
【００９３】
【図１】この発明の最良の実施の一形態において、記録媒体を接続している記録・再生装置に組み込まれている状態の構成を説明するブロック図である。
【図２】図１に示す形態の外観を示す斜視図である。
【符号の説明】
【００９４】
１          ：文字データ出力装置
２          ：音声出力装置
３          ：記録・再生装置
７          ：デジタル信号プロセッサ（ＤＳＰ、データ記録手段で且つデータ再生手段）
９          ：制御手段
１０        ：操作手段
１７        ：記録媒体
１９        ：装置本体
２１        ：文字データ入力手段
２２        ：文字入力キー群
２３        ：確定釦群
２４        ：液晶表示手段（表示手段）
２５        ：辞書データメモリ
２６        ：メモリ手段
２７        ：ドライバ
【図１】
2007147860.tif 000003
【図２】
2007147860.tif 000004